(57)【要約】【課題】滑らかな滑り出しが要求されるドラグ制動力の小さい領域を含めてドラグ作用の全領域にわたって安定したドラグ性能を得ることができるドラグ装置を備えた魚釣用スピニングリールを提供する。【解決手段】魚釣用スピニングリールは、スプール軸２に回転可能に支持されたスプール１の前部に形成した凹部１Ａに制動部材３０を収容し、スプール軸２の先端部に螺合される調節体２２を回転操作することで、制動部材３０の圧接力を変えてスプール軸２に対するスプール１の回転方向の摩擦結合力を調節可能とするドラグ装置２０と、スプール軸２と一体的に設けられ、スプール１の後端部１ｄと対向配置される対向部１０と、スプール１の後端部１ｄと対向部１０との間に介挿され、スプール１に作用する制動部材３０の圧接力を軸方向で支持するスラストベアリング５０とを備える。【選択図】図１
2014143952.tif 000002
【特許請求の範囲】
【請求項１】
スプール軸に回転可能に支持されたスプールの前部に形成した凹部に制動部材を収容し、前記スプール軸の先端部に螺合される調節体を回転操作することで、前記制動部材の圧接力を変えてスプール軸に対するスプールの回転方向の摩擦結合力を調節可能とするドラグ装置を備えた魚釣用スピニングリールにおいて、
前記スプール軸と一体的に設けられ、前記スプールの後端部と対向配置される対向部と、
前記スプールの後端部と前記対向部との間に介挿され、前記スプールに作用する前記制動部材の圧接力を軸方向で支持するスラストベアリングと、
を備えることを特徴とする魚釣用スピニングリール。
【請求項２】
前記スプール軸に対して前記スプールを回転可能に支持するラジアルベアリングを更に備えることを特徴とする請求項１に記載の魚釣用スピニングリール。
【請求項３】
前記スプール軸に外嵌固定される支持部材を更に備え、前記支持部材に前記対向部を設けたことを特徴とする請求項１または請求項２に記載の魚釣用スピニングリール。
【発明の詳細な説明】
【技術分野】
【０００１】
本発明は、釣糸が巻回されるスプールの回転に抵抗力を付与するドラグ装置を備えた魚釣用スピニングリールに関する。
【背景技術】
【０００２】
従来、魚釣用スピニングリールに組み込まれているドラグ装置は、例えば、特許文献１に開示されているように、ハンドルの回転で前後動するスプール軸の先端に回転可能に支持されるスプールの前部に制動部材を収容しており、スプール軸の先端に螺合する調節ツマミを回転操作することで制動部材に押圧力を作用させ、スプール軸に対するスプールの摩擦係合力を強弱調節する構造となっている。
【０００３】
また、上記した構造のドラグ装置では、ドラグ作動時に釣糸がスムーズに引き出されるように、スプール軸に対してボールベアリング（ラジアルベアリング）を介してスプールを回転自在に支持しており、さらに、装着されるボールベアリングがドラグ締め付け時に破損等（スプールに支持される外輪に対し、ドラグ締め付けによって過度のスラスト荷重が加わることによる破損や変形）しないように、スプールの後端部は、スプール軸に固定された摩擦板（スプールの後端部が対向する対向部）に当て付いた状態で軸方向規制されている。
【先行技術文献】
【特許文献】
【０００４】
【特許文献１】特開２００７−２０２４１６号
【発明の概要】
【発明が解決しようとする課題】
【０００５】
上記した構造のドラグ装置では、調節ツマミを回転操作して制動部材を押圧する際、スプールを軸方向規制する摩擦板に対してスプール後端部も圧接しているため、スプールには、制動部材による摩擦力と、摩擦板に対するスプール後端部の摩擦力（圧接力）が作用する（摩擦特性が異なる複数の摩擦力が作用する）ようになる。このため、ドラグの滑り出しが安定せず悪くなってしまい、特に滑らかな滑り出しが要求されるドラグ制動力の小さい領域では、この影響が発生し易く、安定したドラグ性能が得られない、という問題が生じる。とりわけ、摩擦板に対するスプール後端部の摩擦力は、スプールや摩擦板の材質・表面処理、オイル、グリス等の付着によって影響を受け易いため、よりドラグ特性が安定しなくなってしまう。
【０００６】
また、ドラグ力を作用させる状況では、スプールから引き出される釣糸に対して制動力が付与されるため、スプールには、様々な方向の力（スラスト方向、ラジアル方向等の力）が合わさって作用するようになる。特に、魚釣用スピニングリールのスプールは、それ特有のオシレーティング機構によりスプール軸を介して前後動され、それにより、釣糸が軸方向に均等に巻回されるようになっていることから、ドラグ力が作用しているときの釣糸の巻径や位置（スプールの釣糸巻回面上における前後方向（軸方向）の位置）に応じて、スプールには、引き出される釣糸を介して、様々な方向に異なる力が作用するようになり、前述したように制動部材による摩擦力と摩擦板に対するスプール後端部の摩擦力の特性が異なっている状況では、引き出される釣糸に対する制動力が安定しない。
【０００７】
この結果、釣糸の引き出しに際しては、上記のように滑り出しの初期が安定しないことに加え、ドラグ力を作用させる状況では、断続的な制動力の変化（スティックスリップ現象）が生じてしまい、これにより、釣糸が切れたり、掛かった魚の口切れが生じる可能性が高くなる、という問題も生じる。
【０００８】
本発明は、スプールの前後動に伴ってドラグ力作用時にスプールに様々な方向の異なる力が作用することにより断続的に制動力が変化するというスピニングリール固有の問題に着目してなされたものであり、その目的とするところは、滑らかな滑り出しが要求されるドラグ制動力の小さい領域を含めてドラグ作用の全領域にわたって安定したドラグ性能を得ることができるドラグ装置を備えた魚釣用スピニングリールを提供することにある。
【課題を解決するための手段】
【０００９】
上記した目的を達成するために、本発明に係る魚釣用スピニングリールは、スプール軸に回転可能に支持されたスプールの前部に形成した凹部に制動部材を収容し、前記スプール軸の先端部に螺合される調節体を回転操作することで、前記制動部材の圧接力を変えてスプール軸に対するスプールの回転方向の摩擦結合力を調節可能とするドラグ装置を備えた構成において、前記スプール軸と一体的に設けられ、前記スプールの後端部と対向配置される対向部と、前記スプールの後端部と前記対向部との間に介挿され、前記スプールに作用する前記制動部材の圧接力を軸方向で支持するスラストベアリングとを備えることを特徴とする。
【００１０】
上記した構成の魚釣用スピニングリールによれば、スプールの前部に装着されているドラグ装置の調節体を回転操作してドラグを締め付けると、スプールには、ドラグ装置の調節体の締め付け量に伴って変化する前記制動部材の圧接力として、スプール軸方向に沿った負荷（スプール後端部側へ向かう負荷）が作用するようになる。この負荷は、スプールの後端部と対向部との間に介挿されるスラストベアリングによって支持されるため、制動力が作用し始める制動初期段階は勿論のこと、ドラグ力を大きく設定してスプールに大きなスラスト方向の荷重が加わっても、スプールに対して摩擦抵抗を与えることはなく（制動部材による摩擦力以外に、例えば特許文献１のような摩擦板に対するスプール後端部の摩擦力といった摩擦特性が異なる更なる摩擦力を作用させることなく）、滑らかなドラグの滑り出し性能が得られる。つまり、滑らかな滑り出しが要求されるドラグ制動力の小さい領域を含めてドラグ作用の全領域にわたって安定したドラグ性能を得ることができる。
【００１１】
なお、上記構成において、スプールは例えばボールベアリングであるラジアルベアリングを介してスプール軸に対して回転可能に支持されることが好ましい。その場合には、スプールの回転が更に滑らかになるため、ドラグ力作動時における釣糸の引き出しを更にスムーズにすることが可能になるとともに、スプールの前後動に伴ってドラグ力作用時にスプールに作用する様々な方向の異なる力をスラストベアリングとラジアルベアリングとが協働して支持できる。すなわち、スプールの前後動に伴ってドラグ力作用時にスプールに様々な方向の異なる力が作用することにより断続的に制動力が変化する（スティックスリップ現象）というスピニングリール固有の問題をスラストベアリングとラジアルベアリングとによって効率的且つ効果的に解決でき、そのような制動力の安定化により、釣糸が切れたり、掛かった魚の口切れが生じる可能性を低減できる。また、この場合、スラストベアリングは、ドラグ力を大きく設定してスプールを介してラジアルベアリングに大きなスラスト方向の荷重が加わっても、そのスラスト荷重を支持できるため、ラジアルベアリングの破損や変形を防止することもできる。
【発明の効果】
【００１２】
本発明によれば、滑らかな滑り出しが要求されるドラグ制動力の小さい領域を含めてドラグ作用の全領域にわたって安定したドラグ性能を得ることができるドラグ装置を備えた魚釣用スピニングリールが得られる。
【図面の簡単な説明】
【００１３】
【図１】本発明の第１の実施形態に係る魚釣用スピニングリールのスプール部分の断面図。
【図２】図１のＡ部（円形の二点鎖線で示される部分）の拡大断面図。
【図３】本発明の第２の実施形態に係る魚釣用スピニングリールのスプール部分の断面図。
【図４】図３のＢ部（円形の二点鎖線で示される部分）の拡大断面図。
【図５】本発明の第３の実施形態に係る魚釣用スピニングリールのスプール部分の断面図。
【図６】図５のＣ部（円形の二点鎖線で示される部分）の拡大断面図。
【発明を実施するための形態】
【００１４】
以下、本発明に係る魚釣用スピニングリールの実施形態について図面を参照しながら具体的に説明する。なお、魚釣用スピニングリールは、リール本体に設けられたハンドルを巻き取り操作することでロータが回転駆動されるとともに、スプールが前後方向に往復駆動され、これによりスプールに対して、回転するロータの釣糸案内部を介して釣糸を均等に巻回する構成となっている。図面では、スピニングリールの本体構造については一般的に公知であるため省略しており、本体に装着された公知のオシレーティング機構によって回転不能に前後動されるスプール軸に装着されるスプール、及びスプールのドラグ装置部分について詳細に説明する。
【００１５】
図１は、本発明の第１の実施形態に係る魚釣用スピニングリールのスプール部分の断面図、図２は、図１のＡ部（円形の二点鎖線で示される部分）の拡大断面図である。
【００１６】
釣糸が巻回されるスプール１は、釣糸が巻回される巻回胴部１ａ、前方鍔部１ｂ及び後方円筒部（スカートとも称される）１ｃを備えた円筒形状を成しており、巻回胴部１ａの後方の径方向内側に、略円板状の支持壁（スプール後端部）１ｄが一体形成されている。そして、このスプール後端部１ｄの中央部には、開口１ｅが形成されており、この開口１ｅに図示されていないオシレート機構を介して前後方向（軸方向）に沿って往復動されるスプール軸２が挿通されている。
【００１７】
本実施形態では、スプール軸２に筒状の支持部材（スプールメタルとも称される）３を外嵌配設しており、この支持部材３は、支持ピン４によってスプール軸２に回り止め固定されて軸方向へ移動できないように外嵌されている。そして、支持部材３の略中央部分には、スプール後端部１ｄとの間にボールベアリングとしてのラジアルベアリング５が設置されており、スプール１はスプール軸２に対して回転可能に支持されている。ここで、ラジアルベアリング５は、その内輪５ｂが支持部材３に支持固定されると共に、その外輪５ａがスプール１（スプール後端部１ｄ）に支持固定されている。
【００１８】
なお、本実施形態では、スプール後端部１ｄに、開口１ｅに向けて突出する突起１ｆを形成しており、ラジアルベアリング５の外輪５ａのリール本体側を位置決めしている。また、本実施形態の支持部材３には、ラジアルベアリング５に対してリール本体側に、径方向外方に向けて突出するフランジ３ａが一体形成されている。本実施形態において、このフランジ３ａは、スプール後端部１ｄと対向する対向部１０を構成する。
【００１９】
支持部材３のフランジ３ａには、スプールクリック機構７が設置されている。このスプールクリック機構７は、フランジ３ａの径方向外方に固定されたキャップ状のバネ保持部材７ａと、バネ保持部材７ａの環状壁７ｂに形成された一対の開口７ｃによって保持された環状バネ７ｄとを備えており、環状バネ７ｄをスプール後端部１ｄの径方向外方に形成された環状壁１ｇの内面凹凸１ｈに係合させることで、スプール１が回転した際にクリック音を発生するようにしている。
【００２０】
ところで、後述するドラグ装置によってドラグ力を作用させる状況では、スプール１から引き出される釣糸Ｌに対して制動力が付与されるため、スプール１には、様々な方向の力（スラスト方向、ラジアル方向等の力）が合わさって作用するようになる。特に、本実施形態のような魚釣用スピニングリールのスプール１は、それ特有のオシレーティング機構によりスプール軸２を介して前後動され、それにより、釣糸Ｌが軸方向に均等に巻回されるようになっていることから、ドラグ力が作用しているときの釣糸Ｌの巻径や位置（スプール１の巻回胴部１ａ上における前後方向（軸方向）の位置；例えば、図１のリール本体側における後方位置Ｐ１および竿先側における前方位置Ｐ２参照）に応じて、スプール１には、引き出される釣糸Ｌを介して、様々な方向に異なる力が作用するようになる。
【００２１】
そのため、本実施形態では、そのような様々な方向の異なる力を支持するべく、ラジアルベアリング５に加えて、ボールベアリングとしのスラストベアリング５０を更に備える。特に、本実施形態において、スラストベアリング５０は、スプール１に作用するスラスト方向の力（後述するドラグ装置の制動部材の圧接力）を支持するべく、スプール後端部１ｄと支持部材３（対向部としてのフランジ３ａ）との間に介挿される。ここで、スラストベアリング５０は、その軸方向の左右両側の軌道盤５０ａ，５０ｂがそれぞれ支持部材３（フランジ３ａ）およびスプール１（スプール後端部１ｄ）に支持固定されている。
【００２２】
なお、支持部材３のフランジ３ａの径方向外方には、スプールクリック機構７のバネ保持部材７ａの環状壁７ｂに対して略垂直に屈曲する屈曲壁７ｅを支持部材３との間で挟持するようにリング状のスペーサ８が取着されており、このスペーサ８はスラストベアリング５０と屈曲壁７ｅとの間に介在する。
【００２３】
スプール後端部１ｄよりも前方側（スプール前部）には、凹部１Ａが形成されており、ここには、スプール１が釣糸繰り出し方向に回転した際、その回転に制動力を付与するドラグ装置２０が設置されている。
【００２４】
ドラグ装置２０は、凹部１Ａから前方に露出するドラグ力の調節体（以下、調節ツマミと称する）２２と、凹部１Ａ内に配設され、スプールに対して制動力を付与する摩擦制動部（制動部材）３０と、調節ツマミ２２と摩擦制動部３０との間に設置され、調節ツマミ２２を回転操作した際、摩擦制動部３０に対して軸方向の押圧力を作用させる押圧部材４０とを備えている。
【００２５】
調節ツマミ２２は、スプール軸２の先端部に螺合されるナット部材２３と一体化されており、調節ツマミ２２を捩じ込むと、ナット部材２３と押圧部材４０との間に配設される圧縮コイルバネ（弾性部材）４１の押圧力を介して、押圧部材４０は、摩擦制動部３０を押圧する。
【００２６】
摩擦制動部３０は、好ましくは多板構造を成して支持部材３の外周面に沿って配設されており、スプール後端部１ｄの前面１ｄ”との間で所望の摩擦力（制動力）を発生するように構成されている。具体的に、摩擦制動部（制動部材）３０は、例えば、内周部が支持部材３に対して回り止め嵌合された金属製のワッシャ（本実施形態では、ラチェットリングを構成する）３１、支持部材３に対して回転可能に配設される金属製のワッシャ３２、内周部が支持部材３に対して回り止め嵌合された金属製のワッシャ３３、及びこれらの間に介在されるライニング材３５を備えている。そして、押圧部材４０が、調節ツマミ２２を回転操作してナット部材２３の捩じ込み量に応じた圧縮コイルバネ４１の押圧力で押圧されることにより、スプール後端部１ｄの前面１ｄ”との間で所望の圧接力が発生し、スプール１の回転方向の摩擦結合力（制動力）が調節される。
【００２７】
また、押圧部材４０は、ラチェットリング３１の内面に形成された凹凸３１ａと係合するクリック板４２を保持しており、調節ツマミ２２を回転操作した際、クリック板４２が凹凸３１ａに係合しながらクリック音を発生するように構成されている。
【００２８】
次に、上記したように構成される魚釣用スピニングリールにおけるドラグ作動時の作用効果について説明する。  
スプール１はラジアルベアリング５を介してスプール軸２（スプール軸２に回り止め固定される支持部材３）に対して回転可能に支持されていることから、ドラグ力作動時における釣糸Ｌの引き出しをスムーズにすることが可能となる。また、スプール１の前部に装着されているドラグ装置２０の調節ツマミ２２を回転操作してドラグを締め付けると、スプール１には、摩擦制動部３０を介して制動力が作用し、スプール１の回転に制動力（ドラグ力）を作用させることができる。この場合、  スプール１には、ドラグ装置２０の調節ツマミ２２の締め付け量に伴って変化する摩擦制動部３０の圧接力として、スプール軸２方向に沿った負荷（スプール後端部１ｄ側へ向かう負荷）が作用するようになるが、この負荷は、スプール後端部１ｄと対向部１０（支持部材３）との間に介挿されるスラストベアリング５０によって支持されるため、制動力が作用し始める制動初期段階は勿論のこと、ドラグ力を大きく設定してスプール１に大きなスラスト方向の荷重が加わっても、スプール１に対して摩擦抵抗を与えることはなく（摩擦制動部３０による摩擦力以外に、例えば特許文献１のような摩擦板に対するスプール後端部の摩擦力といった摩擦特性が異なる更なる摩擦力を作用させることなく）、滑らかなドラグの滑り出し性能が得られる。つまり、滑らかな滑り出しが要求されるドラグ制動力の小さい領域を含めてドラグ作用の全領域にわたって安定したドラグ性能を得ることができる。
【００２９】
また、本実施形態では、スプール１の前後動に伴ってドラグ力作用時にスプール１に作用する様々な方向の異なる力をスラストベアリング５とラジアルベアリング５０とが協働して支持できる。すなわち、スプール１の前後動に伴ってドラグ力作用時にスプール１に様々な方向の異なる力が作用することにより断続的に制動力が変化する（スティックスリップ現象）というスピニングリール固有の問題をスラストベアリング５とラジアルベアリング５０とによって効率的且つ効果的に解決でき、そのような制動力の安定化により、釣糸が切れたり、掛かった魚の口切れが生じる可能性を低減できる。また、この場合、スラストベアリング５０は、ドラグ力を大きく設定してスプール１を介してラジアルベアリング５に大きなスラスト方向の荷重が加わっても、そのスラスト荷重を支持できるため、ラジアルベアリング５の破損や変形を防止することもできる。
【００３０】
また、本実施形態では、スプール軸２に対して筒状の支持部材３を嵌合固定し、この支持部材３に対向部１０を一体形成していることから、組み付け精度の向上が図れ、ベアリング５，５０の位置決め等を精度良く行なうことが可能となる。
【００３１】
次に、本発明の別の実施形態について説明する。  
なお、以下の説明では、上記した実施形態と同一の構成については、同一の参照符号を付し、詳細な説明については省略する。
【００３２】
図３および図４は、本発明に係る魚釣用スピニングリールの第２の実施形態を示す図であり、図３はスプール部分の断面図であり、図４は図３のＢ部（円形の二点鎖線で示される部分）の拡大断面図である。
【００３３】
この実施形態では、第１の実施形態の構成からラジアルベアリング５が排除されており、それ以外の構成は第１の実施形態と同一である。このような構成においても、ドラグ圧接力に伴ってスプール２に作用する軸方向の負荷をスラストベアリング５０によって支持できるため、制動力が作用し始める制動初期段階は勿論のこと、ドラグ力を大きく設定してスプール１に大きなスラスト方向の荷重が加わっても、スプール１に対して摩擦抵抗を与えることはなく（摩擦制動部３０による摩擦力以外に、例えば特許文献１のような摩擦板に対するスプール後端部の摩擦力といった摩擦特性が異なる更なる摩擦力を作用させることなく）、滑らかなドラグの滑り出し性能が得られる。
【００３４】
図５および図６は、本発明に係る魚釣用スピニングリールの第３の実施形態を示す図であり、図５はスプール部分の断面図であり、図６は図５のＣ部（円形の二点鎖線で示される部分）の拡大断面図である。
【００３５】
この実施形態は、第１の実施形態の構成から支持部材３を排除した形態となっており、ラジアルベアリング５の内輪を直接にスプール軸２に支持している。また、スプール後端部１ｄと対向する対向部１０Ａは、スプール軸２に形成される段部２Ａに対して当て付けられるストッパ６０（具体的には、ストッパ６０のスプール側の面６０ａ）によって構成されており、このストッパ６０とスプール後端部１ｄとの間にスラストベアリング５０が介挿されるとともに、ストッパ６０に突起６０ｂを形成してラジアルベアリング５０を径方向で位置決めしている。
【００３６】
このように、スプール１を回転可能に支持するラジアルベアリング５は、スプール軸２に対して直接に配設するようにしても良いし、対向部１０についても、スプール軸２に対して軸方向に移動しないように固定された部材（例えば、図に示すようなストッパ６０）によって構成するものであっても良い。
【００３７】
以上、本発明の実施形態について説明したが、本発明は、上記した実施形態に限定されることはなく、種々変形することが可能である。
【００３８】
本発明は、スプールの後端部とこれに対向する対向部との間に、スプールに作用するドラグ装置の摩擦制動部の圧接力を軸方向で支持するスラストベアリングを介挿したことに特徴があり、それ以外の構成については、適宜変形することが可能である。
【００３９】
例えば、ドラグ装置２０の構成については、一例を示したに過ぎず、図に示したような構成に限定されることはない。また、各種ベアリングを位置決め、保持する突起の配置構成例についても適宜変形することが可能である。さらに、スプール後端部１ｄの後端面１ｄ’又はスラストベアリング５０と対向する対向部については、スプール軸２と一体化される部材であれば良く、上記したように、一体化される部材そのもので対向部を形成しても良いし、一体化される部材に摩擦板等、異なる部材を取着して対向部を構成しても良い。また、図示しないが、前述した第１の実施形態から支持部材およびラジアルベアリングの両方を排除した構成も本発明の範囲内に入る。
【符号の説明】
【００４０】
１  スプール
１Ａ  凹部
２  スプール軸
３  支持部材
５  ラジアルベアリング
１０，１０Ａ  対向部
２０  ドラグ装置
２２  調節ツマミ（調節体）
３０  摩擦制動部（制動部材）
５０  スラストベアリング
【図１】
2014143952.tif 000003
【図２】
2014143952.tif 000004
【図３】
2014143952.tif 000005
【図４】
2014143952.tif 000006
【図５】
2014143952.tif 000007
【図６】
2014143952.tif 000008